(57)【要約】【課題】磁気記録媒体の記録再生時のエラーレートを悪化させる原因となるサーマルアスペリティ現象やスペーシングロス等を引き起こす、磁性層表面の突起を簡便かつ実際の使用環境に即し、評価する方法を提供する【解決手段】磁気記録媒体に信号を記録再生し、再生信号に基づいて磁気記録媒体の表面突起を評価する磁気記録媒体の評価方法であって、所定の周波数の信号を記録する工程と、前記信号を再生する工程と、前記再生信号の出力と周波数とをモニタする工程と、前記再生信号の出力と周波数とを所定の値（Ｌ，Ｈ）とそれぞれ比較演算する工程とを有し、前記出力が閾値Ｌを超えた時に、突起であると判定し、同時に、前記周波数が閾値Ｈを超えているか、以下であるかにより、前記表面突起を分別して検出することを特徴とする。【選択図】図１
2006260618.tif 000002
【特許請求の範囲】
【請求項１】
磁気記録媒体に信号を記録再生し、再生信号に基づいて磁気記録媒体の表面突起を評価する磁気記録媒体の評価方法であって、所定の周波数の信号を記録する工程と、前記信号を再生する工程と、前記再生信号の出力と周波数とをモニタする工程と、前記再生信号の出力と周波数とを所定の値（Ｌ，Ｈ）とそれぞれ比較演算する工程とを有し、前記出力が閾値Ｌを超えた時に、突起であると判定し、同時に、前記周波数が閾値Ｈを超えているか、以下であるかにより、前記表面突起を分別して検出することを特徴とする磁気記録媒体の評価方法。
【請求項２】
磁気記録媒体に信号を記録再生し、再生信号に基づいて磁気記録媒体の表面突起を評価する磁気記録媒体の評価装置であって、信号を記録する手段と、記録した信号を再生する手段と、再生信号の出力と周波数とをモニタする手段と、前記出力と前記周波数とを所定の値（Ｌ，Ｈ）とそれぞれ比較演算する手段とを備え、前記出力が閾値Ｌを超えた時に、突起であると判定し、同時に、前記周波数が閾値Ｈを超えているか、以下であるかにより、前記表面突起を分別して検出することを特徴とする磁気記録媒体の評価装置。
【発明の詳細な説明】
【技術分野】
【０００１】
本発明は、磁気記録媒体の評価方法に関し、詳しくは、磁気録媒体を実際の再生時と同様な条件で磁性層の突起を評価できる評価方法および装置に関する。
【背景技術】
【０００２】
磁気記録媒体は、オーディオテープ、ビデオテープ、コンピューターテープ、磁気ディスクなど種々の用途があるが、特にデータバックアップ用の磁気テープ（バックアップテープ）の分野ではバックアップ対象となるハードディスクの大容量化に伴い、1巻当たり数百GB以上の記憶容量のものが商品化されている。今後もハードディスクの更なる大容量化に対応するため、この種のバックアップテープの高容量化は不可欠となっている。
【０００３】
バックアップテ−プ1巻当たりの高容量化のためには、テープ全厚を薄くして１巻あたりのテープ長さを長くすること、磁性層厚さを薄くすることで厚さ減磁を小さくして短波長出力を大きくすること、記録トラック幅を２５μｍ以下、特に１５μｍ以下と狭くして幅方向の記録密度を高くすることなどが検討されている。
【０００４】
また、記録トラック幅を２５μｍ以下、特に１５μｍ以下と狭くして幅方向の記録密度を高くすると磁気テープからの漏れ磁束が小さくなるため、再生ヘッドに微小磁束でも高い出力が得られる磁気抵抗効果（ＭＲ）素子を利用したＭＲヘッドを使用するのが主流となっている。近年、データのバックアップ容量が急増していることに伴い、信号再生用にＭＲヘッドを搭載したデータバックアップ用テープドライブがデータストレージの分野で普及している。ＭＲヘッドはＭＲ素子により磁束の変化を抵抗値の変化に置き換えるものであり誘導コイルを有しないので、インダクティブヘッドに比較して高いＳ／Ｎが得られる。
【０００５】
しかし、ＭＲ素子は、温度変化により特性が変化しやすく、再生中に磁気記録媒体の記録面に存在する突起と衝突すると、衝突の際に発生する熱（摩擦熱）でＭＲ素子の温度が急上昇し、抵抗値が変化して、これがノイズの原因となる。ＭＲヘッドは、ヘッドの磁性層との摺動面に対して、所定の深さ凹んだ部分にＭＲ素子を設けた構造になっており、通常、微小な突起に対してはＭＲ素子との衝突が起こらないように設計されている。
【０００６】
記録トラック幅が狭くなり、記録波長が短くなると再生信号の出力はテープ磁性層表面とＭＲ素子との距離（スペーシング）に対して敏感になる。例えば、磁気テープ磁性層表面に突起やへこみがあるとスペーシングロスによる出力の低下により、エラーレートが高くなる。また、ＭＲ素子は温度変化により特性（抵抗値）が変化しやすいため、磁気テープの記録データ再生中に、磁気テープ磁性層表面に存在する突起物と衝突すると、ＭＲ素子の温度が変化することで、ＭＲ素子から出力される電圧値の予期せぬ変動が発生し、いわゆるサーマルアスペリティ現象による読み取りエラーが発生する場合がある。
【０００７】
サーマルアスペリティはデータの読み取り失敗につながるだけではなく、突起がＭＲ素子と衝突することで発生する急激な温度変化により、ＭＲ素子に損傷を与えるので、非常に好ましくない現象として認知されている。そのため、これまでに数多くのサーマルアスペリティの防止や低減方法、評価測定方法などが提案されている。例えば、特許文献１では、ＭＲ素子を利用したデータ再生方式において磁気テープ磁性層表面に存在する突起によるサーマルアスペリティ現象とその測定方法について開示されている。特許文献１の測定方法では、信号が記録されていない磁気テープを走行させ、前記磁気テープが走行する途中に、ＭＲ素子とシールド面（ヘッドの磁性層との摺動面）の距離がそれぞれ異なる複数のＭＲヘッドを前記磁気テープの幅方向に並列に配置しておき、前記ＭＲヘッド毎に、前記磁気テープの再生時に出力された信号を周波数分析した結果と、非再生時に出力された信号を周波数分析した結果とを比較することによりサーマルアスペリティノイズを検出している。
【０００８】
特許文献２では、インダクティブ型磁気ヘッドによって検査用の信号を記録し、磁気抵抗効果型磁気ヘッドによって信号を再生し、この信号を、フィルタによって所定の周波数よりも低周波数の第１の信号成分と、高周波数の第２の信号成分とに分離し、低周波数の信号成分によって磁気ディスクの表面の突起を検出し、高周波数の信号成分によってエラーを検出する磁気ディスクの検査方法が開示されている。
【０００９】
一方、バックアップテープメディアの更なる高容量化に伴い、データ記録トラック幅が狭まり、テープ磁性層表面とＭＲ素子との距離（スペーシング）の最適値が小さくなっている。そのため、ＭＲ素子には衝突しないが、スペーシングロスを引き起こすような磁気テープ磁性層表面に存在する突起が、これまで以上にエラーレートに影響を与え始めており、突起によるスペーシングロス現象もサーマルアスペリティ同様にテープ使用時において無視できない状況となっている。
【００１０】
【特許文献１】特開２００３−３４６３３１号公報
【特許文献２】特開平１１−３２８６７０号公報
【発明の開示】
【発明が解決しようとする課題】
【００１１】
前述の特許文献１でのテープ磁性層表面の突起評価方法では、サーマルアスペリティを引き起こすものを対象としており、ＭＲ素子に衝突はせず、サーマルアスペリティを引き起こさないものの、スペーシングロスを引き起こして書き込みおよび読み取りエラーを発生させるような小さな突起については、評価の対象外になっていた。また、この評価方法では、ＭＲ素子とシールド面の距離が異なる複数のヘッドが必要であり評価装置が高価になる問題があった。
【００１２】
一方、ＭＲヘッドの機能に影響を与えるような磁性層表面の突起評価については、レーザー干渉型顕微鏡や原子間力顕微鏡(ＡＦＭ)などを用いて行われてきたが、1回の観察可能範囲が非常に狭い範囲に限られており、実際のエラー発生との相関を得るためには、非常に多くの個所を観察する必要があり、その比較検証作業が困難となっている。
【００１３】
本発明では、磁気記録媒体の記録再生時のエラーレートを悪化させる原因となる、サーマルアスペリティ現象やスペーシングロス等を引き起こす磁性層表面の突起を簡便かつ実際の使用条件に即し、分別して評価する方法を提供することにある。
【課題を解決するための手段】
【００１４】
前記課題を解決するため、請求項1に記載の磁気記録媒体の評価方法は、所定の周波数の信号を記録する工程と、前記信号を再生する工程と、前記再生信号の出力と周波数とをモニタする工程と、前記再生信号の出力と周波数とを所定の値（Ｌ，Ｈ）とそれぞれ比較演算する工程とを有し、前記出力が閾値Ｌを超えた時に、突起であると判定し、同時に、前記周波数が閾値Ｈを超えているか、以下であるかにより、前記表面突起を分別して検出することを特徴とする。
【００１５】
また、請求項２に記載の磁気記録媒体の評価装置は、磁気記録媒体に信号を記録再生し、再生信号に基づいて磁気記録媒体の表面突起を評価する磁気記録媒体の評価装置であって、
所定の周波数の信号を記録する手段と、記録した信号を再生する手段と、再生信号の出力と周波数とをモニタする手段と、前記出力と周波数とを所定の値（Ｌ，Ｈ）とそれぞれ比較演算する手段とを備え、前記出力が閾値Ｌを超えた時に、突起であると判定し、同時に、前記周波数が閾値Ｈを超えているか、以下であるかにより、前記表面突起を分別して検出することを特徴とする。
【００１６】
なお、前述の特許文献２の評価方法は、インダクティブ型磁気ヘッドによって検査用の信号を記録し、磁気抵抗効果型磁気ヘッドによって信号を再生し、この信号を、フィルタによって所定の周波数よりも低周波数の第１の信号成分と、高周波数の第２の信号成分とに分離し、低周波数の信号成分によって磁気ディスクの表面の突起を検出し、高周波数の信号成分によってエラーを検出する磁気ディスクの検査方法であり、本発明の再生信号の出力を閾値Ｌと比較し、出力が閾値Ｌを超えた時に、突起であると判定し、同時に、前記周波数が閾値Ｈを超えているか、以下であるかにより、前記表面突起を分別して検出する方法とは異なる。
【発明の効果】
【００１７】
本発明の評価方法によれば所定の周波数の信号を記録する工程と、前記信号を再生する工程と、前記再生信号の出力と周波数とをモニタする工程と、前記出力と周波数とを所定の値（Ｌ，Ｈ）とそれぞれ比較演算する工程とを有し、前記出力の閾値Ｌにより突起を検出し、前記周波数の閾値Ｈにより、前記突起がスペーシングロスによるものか、もしくはサーマルアスペリティ現象によるものかを区別し、それぞれの存在頻度を評価することができる。
【００１８】
また、請求項2に記載の磁気記録媒体の評価装置によれば、信号を記録する手段と、記録した信号を再生する手段と、再生信号の出力と周波数とをモニタする手段と、前記出力と周波数とを所定の値（Ｌ，Ｈ）とそれぞれ比較演算する手段とを備え、前記と同様に、閾値Ｌ、Ｈにより突起の検出と、突起がスペーシングロスによるものか、もしくはサーマルアスペリティ現象によるものかを区別し検出することができ、また図示しない出力装置により分析結果を集計し出力や保存ができる。
【発明を実施するための最良の形態】
【００１９】
本発明は磁気記録媒体に関するものであるが、以下、磁気テープを例にとって本発明の評価方法および評価装置について、図面を用いて説明する。参照する図面において、図1は、本発明の一実施形態である磁気テープ評価装置の構成の一例を示す模式図である。
【００２０】
図１で示すように、本発明の評価装置は、磁気テープＴを送り出す巻き出しリール1と、送り出された磁気テープＴを巻き取る巻取りリール2、走行する磁気テープＴの走行方向を案内する複数の走行ガイド3、信号処理回路Ｃ、磁気ヘッド4、前記巻き出しリール1及び巻取りリール2を駆動する図示しない駆動装置から構成されている。磁気テープＴの走行系については、磁気テープＴを走行させる機能を有するのであればどのような走行系の装置であってもよい。磁気テープＴは構成する材料や表面状態等は特に限定しない。前記の信号処理回路Ｃや走行系はデータバックアップ用テープドライブに含まれているものを利用してもよい。
【００２１】
前記信号処理回路Ｃは、信号を記録する手段を構成する信号発生回路5、信号を再生する手段を構成する信号再生回路6、再生信号の出力と周波数とをモニタする手段である手段である出力・周波数検出回路7、出力と周波数とを所定の値（Ｌ，Ｈ）とそれぞれ比較演算する比較演算回路とから構成される。
【００２２】
まず、信号を記録する手段である信号発生回路5、磁気ヘッド4に配設されている図示しない記録ヘッド（インダクティブヘッド）により、所定の周波数（Ｈ０）の信号が走行する磁気テープＴに記録される。Ｈ０の値は特に制限されないが、１〜５０ＭＨｚの範囲が好ましい。通常、データバックアップ用テープドライブで使用されている記録周波数を用いることが好ましい。磁気テープＴに記録された信号は、信号を再生する手段である磁気ヘッド4に配設されている図示しない再生ヘッド（ＭＲヘッド）、信号再生回路6により再生され図２〜図１０で示したような再生信号の波形が得られる。図２は磁気テープＴの正常部の波形、図５，図８はそれぞれ、磁気テープＴ表面の突起部（サーマルアスペリティなし）、サーマルアスペリティを起こした突起部の波形を示す。
【００２３】
前記再生信号を再生信号の出力と周波数とをモニタする手段である出力・周波数検出回路7では図示しない波形二乗回路、ノイズ除去回路、ピークホールド回路を含み、図３で示すような極性が正の二乗信号波形を取り出す。この二乗信号波形の示す出力の値と閾値Ｌとを後述の比較演算回路8により比較する。図３は磁気テープＴの正常部の二乗信号波形、図６，図９はそれぞれ、磁気テープＴ表面の突起部（サーマルアスペリティなし）、サーマルアスペリティを起こした突起部の二乗信号波形を示す。
【００２４】
また、出力・周波数検出回路7は、図示しない周波数カウント回路を含み再生信号のベースラインでの極性変化により再生波形の一定区間（図では２００μｓ）から周波数を取り出す。図４は磁気テープＴ正常部の拡大波形、図７、図１０は磁気テープＴ表面のサーマルアスペリティなしおよびサーマルアスペリティを起こした突起部の時間軸の拡大波形を示す（図では５μｓ区間）。図７のサーマルアスペリティなし突起部の拡大波形では正常部と比べて周波数の変化はみられない。しかし、図１０のサーマルアスペリティ突起部拡大波形では、ベースラインでの極性変化の無い、周波数無カウント部分が存在するためカウント周波数が減少する。
【００２５】
出力と周波数とを所定の値（Ｌ、Ｈ）とそれぞれ比較演算する手段としての比較演算回路8は、前記の二乗信号波形の出力値が所定の閾値Ｌを超えると、磁性層に突起が在ったとものと判定する。それと同時に、前記周波数の値が所定の閾値Ｈを超えているか、以下であるかを比較し、Ｈを超えているとサーマルアスペリティは起こさないがスペーシングロスを起こす突起、Ｈ以下であるとサーマルアスペリティを起こす突起であると判定する。これにより、突起を、引き起こすエラーの種類別に区別することが可能となる。比較演算回路8のフローチャートを図１１に示す。
【００２６】
閾値Ｌは、正常部の出力をＬ０としたとき、Ｌ０より大きな値を設定すればよいが、あまりにＬ０に近い値を設定すると、エラーにならない小さな突起まで検出することになり、また大きすぎる値を設定すると、エラーになる突起が検出されなくなるので、データバックアップ用テープドライブの条件に応じて適宜設定するのが好ましいが、通常、１．２≦（Ｌ／Ｌ０）≦５の範囲に設定するのが好ましく、１．５≦（Ｌ／Ｌ０）≦３がより好ましい。閾値Ｈは、記録周波数をＨ０としたとき、Ｈ０より小さな値を設定すればよいが、あまりにＨ０に近い値を設定すると、ノイズや走行速度変動の影響を受けて正しい検出ができなくなり、また、小さすぎる値を設定すると、小さなサーマルアスペリティを検出できなくなるので、データバックアップ用テープドライブの条件に応じて適宜設定するのが好ましいが、通常、５≦（Ｈ０-Ｈ）≦５０の範囲に設定するのが好ましく、１０≦（Ｈ０−Ｈ）≦３０がより好ましい。周波数をカウントする区間は、通常１００〜５００μｓの区間の周波数をカウントすればよい。図２〜図１０では、２００μｓ区間でのデータを示す。
【００２７】
また、図６、図９の突起部の出力波形、図１０の周波数無カウント幅を詳細に観察すると、本発明の評価方法（装置）をもとに、さらに、以下のことが分る。すなわち、突起部の出力の値は、突起の高さと相関があり、また、突起部の出力波形の前後の出力がＬ０より小さい部分の時間幅（Ｗ）は、突起の磁気テープＴ長手方向の大きさと相関があり、周波数無カウント幅は、突起の磁気抵抗効果素子当たる部分の大きさと相関するので、これらの情報を元に、突起を分別集計して磁気テープＴの表面突起の状況をさらに詳細に分析することが可能である。
【図面の簡単な説明】
【００２８】
【図１】本発明の一実施形態である磁気テープ評価装置の構成の一例を示す模式図
【図２】正常部波形図
【図３】正常部の二乗信号波形図
【図４】正常部の拡大波形図
【図５】突起部（サーマルアスペリティなし）波形図
【図６】突起部（サーマルアスペリティなし）の二乗信号波形図
【図７】突起部（サーマルアスペリティなし）の拡大波形図
【図８】突起部（サーマルアスペリティ）波形図
【図９】突起部（サーマルアスペリティ）の二乗信号波形図
【図１０】突起部（サーマルアスペリティ）の拡大波形図
【図１１】比較演算回路8のフローチャート
【符号の説明】
【００２９】
Ｔ    磁気テープ
Ｃ    信号処理回路
１    巻き出しリール
２    巻取りリール
３    走行ガイド  
４    磁気ヘッド（MRヘッド、インダクティブヘッドを含む）
５    信号発生回路
６    信号再生回路
７    出力・周波数検出回路
８    比較演算回路
【図１】
2006260618.tif 000003
【図２】
2006260618.tif 000004
【図３】
2006260618.tif 000005
【図４】
2006260618.tif 000006
【図５】
2006260618.tif 000007
【図６】
2006260618.tif 000008
【図７】
2006260618.tif 000009
【図８】
2006260618.tif 000010
【図９】
2006260618.tif 000011
【図１０】
2006260618.tif 000012
【図１１】
2006260618.tif 000013